(57)【要約】【課題】発電機電圧制御とタップ切換制御間の相互協調制御を行う発電所の電圧制御装置を得る。【解決手段】変圧器４を介して発電機電圧を入力する電圧変換器５と、変圧器４を介して発電機電圧を入力すると共に、変流器７を介して発電機電流を入力し、入力された発電機電圧と発電機電流とから発電機無効電力を検出する無効電力変換器８と、無効電力変換器８の出力する無効電力と電圧変換器５の出力する発電機電圧とを入力するシーケンサ６を有し、シーケンサ６は、無効電力変換器８の出力する無効電力と予め設定された無効電力目標値との比較結果に差異が発生しているときに自動電圧調整装置１０へ電圧増減信号を出力する無効電力比較部６ｂと、電圧変換器５の検出する発電機電圧が、発電機１の運転範囲内にあるか否かを確認し、運転範囲外にある場合は、タップ増減信号を主変圧器１へ出力する電圧比較部６ｃを備えた。【選択図】図１
2011125189.tif 000002
【特許請求の範囲】
【請求項１】
自動電圧調整装置により発電機電圧が調整される発電機を、タップ切換手段を有する主変圧器を介して送電系統に連携し、前記発電機電圧の制御と、前記タップ切換手段のタップ切換制御の相互協調制御を行う発電所の電圧制御装置であって、
前記発電機電圧を変圧器により変圧して入力する電圧変換手段と、
前記発電機電圧を変圧器により変圧して入力すると共に、発電機電流を変流器により変流して入力し、前記入力した発電機電圧と発電機電流により発電機無効電力を出力する電力変換手段と、
前記電力変換手段の出力する無効電力と前記電圧変換手段の出力する発電機電圧とを入力する制御装置と、を有し、
前記制御装置は、
前記電力変換手段の出力する発電機無効電力と、予め設定された発電機無効電力目標値を比較し、比較結果に差異が発生している場合に前記自動電圧調整装置へ電圧増減信号を出力する無効電力比較部と、
前記電圧変換手段の検出する発電機電圧が、前記発電機の運転範囲内にあるか否かを確認し、運転範囲外にある場合は、前記タップ切換手段のタップ増減信号を前記主変圧器へ出力する電圧比較部と、を備えたことを特徴とする発電所の電圧制御装置。
【請求項２】
自動電圧調整装置により発電機電圧が調整される発電機を、タップ切換手段を有する主変圧器を介して送電系統に連携し、前記発電機電圧の制御と、前記タップ切換手段のタップ切換制御の相互協調制御を行う発電所の電圧制御装置であって、
前記発電機電圧を変圧器により変圧して入力する電圧変換手段と、
前記発電機電圧を変圧器により変圧して入力すると共に、発電機電流を変流器により変流して入力し、前記入力した発電機電圧と発電機電流により発電機無効電力を出力する第１の電力変換手段と、
前記発電機電流を変流器により変流して入力し、発電機有効電力を出力する第２の電力変換手段と、
前記電圧変換手段の出力する発電機電圧と前記第１の電力変換手段の出力する発電機無効電力、及び前記第２の電力変換手段の出力する発電機有効電力を入力する制御装置と、を有し、
前記制御装置は、
前記第１の電力変換手段の出力する発電機無効電力と前記第２の電力変換手段の出力する発電機有効電力とから算出した発電機力率と、予め設定された発電機力率目標値を比較し、比較結果に差異が発生している場合に前記自動電圧調整装置へ電圧増減信号を出力する力率制御部と、
前記電圧変換手段から出力された発電機電圧が、前記発電機の運転範囲内にあるか否かを確認し、運転範囲外にある場合は、前記タップ切換手段のタップ増減信号を前記主変圧器へ出力する電圧比較部と、を備えたことを特徴とする発電所の電圧制御装置。
【請求項３】
自動電圧調整装置により発電機電圧が調整される発電機を、タップ切換手段を有する主変圧器を介して送電系統に連携し、前記発電機電圧の制御と、前記タップ切換手段のタップ切換制御の相互協調制御を行う発電所の電圧制御装置であって、
前記発電機電圧を第１の変圧器により変圧して入力する電圧変換手段と、
前記主変圧器の高圧側送電端で前記発電機電圧を第２の変圧器により変圧して入力すると共に、前記主変圧器の高圧側送電端で発電機電流を変流器により変流して入力し、
前記入力した発電機電圧と発電機電流により発電機無効電力を出力する電力変換手段と、
前記電力変換手段の出力する発電機無効電力と前記電圧変換手段の出力する発電機電圧とを入力する制御装置と、を有し、
前記制御装置は、
前記電力変換手段の出力する発電機無効電力と、予め設定された発電機無効電力目標値を比較し、比較結果に差異が発生している場合に前記自動電圧調整装置へ電圧増減信号を出力する無効電力比較部と、
前記電圧変換手段の出力する発電機電圧が、前記発電機の運転範囲内にあるか否かを確認し、運転範囲外にある場合は、前記タップ切換手段のタップ増減信号を前記主変圧器へ出力する電圧比較部と、を備えたことを特徴とする発電所の電圧制御装置。
【請求項４】
自動電圧調整装置により発電機電圧が調整される発電機を、タップ切換手段を有する主変圧器を介して送電系統に連携し、前記発電機電圧の制御と、前記タップ切換手段のタップ切換制御の相互協調制御を行う発電所の電圧制御装置であって、
前記発電機電圧を第１の変圧器により変圧して入力する電圧変換手段と、
前記主変圧器の高圧側送電端で前記発電機電圧を第２の変圧器により変圧して入力すると共に、前記主変圧器の高圧側送電端で発電機電流を変流器により変流して検出し、前記入力した発電機電圧と発電機電流により発電機無効電力を出力する第１の電力変換手段と、
前記発電機電流を変流器により変流して入力し、発電機有効電力を出力する第２の電力変換手段と、
前記電圧変換手段の出力する発電機電圧と前記第１の電力変換手段の出力する発電機無効電力、及び前記第２の電力変換手段の出力する発電機有効電力を入力する制御装置と、を有し、
前記制御装置は、
前記第１の電力変換手段の出力する発電機無効電力と前記第２の電力変換手段の出力する有効電力とから算出した発電機力率と、予め設定された発電機力率目標値を比較し、比較結果に差異が発生している場合に前記自動電圧調整装置へ電圧増減信号を出力する力率制御部と、
前記電圧変換手段から出力された発電機電圧が、前記発電機の運転範囲内にあるか否かを確認し、運転範囲外にある場合は、前記タップ切換手段のタップ増減信号を前記主変圧器へ出力する電圧比較部と、を備えたことを特徴とする発電所の電圧制御装置。
【発明の詳細な説明】
【技術分野】
【０００１】
この発明は、タップ切換手段を有する主変圧器を介して発電機が送電系統に連携される発電所の電圧制御装置に関するものである。
【背景技術】
【０００２】
電力系統は、系統の安定運転により電気機器などが正常に機能できるようになっており、このために電圧変動の生じることのない安定した電圧制御が要求される。このような電力系統での電圧変動には有効電力の影響によるものと、無効電力の影響によるものとがあることが従来から知られており、種々の対策が講じられている。
【０００３】
無効電力の変動を少なく抑える制御として、例えば、特許文献１においては、無効電力が電圧に対して一義的に相関するものであることから、発電制御により対処する方策が採られ、その手段として、発電機電圧制御に連動させて主変圧器のタップ切換えによる主変圧器送電系統側電圧制御を行うことができる技術が開示されている。即ち、負荷時タップ切換手段を有する主変圧器を介して発電機が送電系統に連携される発電所において、制御指令により所定の許容変動範囲の発電機電圧を演算するとともに該発電機電圧に対応する主変圧器のタップ位置を決定する演算制御手段と、主変圧器の送電系統側電圧を検出し該送電系統側電圧上記制御指令の内容が等しくなるように上記発電機電圧を選定するとともに該発電機電圧が所定の許容範囲に納まるように上記負荷時タップ切換手段にタップ切換指令を与える実行制御手段とを具備した発電所の電圧制御装置が開示されている。
【先行技術文献】
【特許文献】
【０００４】
【特許文献１】特開平１−１４８０２６号公報（発明の構成の欄、第３図）
【発明の概要】
【発明が解決しようとする課題】
【０００５】
前記特許文献１に開示された技術によれば、発電機電圧制御に連動させて主変圧器のタップ切換えによる主変圧器送電系統側電圧制御を行うことができるので、電圧制御の操作性の向上を図ることが出来、しかも電圧制御の即応性、確実性を確保できるとともに、電力系統の安定運転を期待することができる、とされている。
【０００６】
しかし、特許文献１に開示された技術において、主変圧器のタップ切換え操作は一般的には運転員よる操作であり、また、発電機電圧制御も発電機励磁装置により電圧一定制御手段、発電機力率一定制御手段（又は力率限定手段）、及び発電機無効電力一定制御手段が個別に装備されており、発電機が系統と連携している場合は、系統電圧の変動が発電機無効電力の変動となり、発電機の運転制限範囲による制限を受け、以下の問題点がある。
【０００７】
発電機無効電力一定制御中に系統電圧が上昇した場合、系統電圧の上昇に伴い、発電機無効電力が一旦減少してしまい、発電機無効電力一定制御手段は、その減少した無効電力を設定された無効電力設定値へ戻すため、発電機電圧を上昇させる。その際、系統電圧の上昇具合によっては、発電機電圧運転範囲（定格電圧の±５％）である＋５％を超えてしまい、発電機無効電力を設定した無効電力へ戻すことができなくなる。このため、発電機無効電力制御がロックされ、発電所の運転員が主変圧器のタップ切換手段を操作することにより、発電機無効電力を目標設定された無効電力値に制御できる発電機電圧運転範囲内（発電機側電圧を下げる方向）に納まるようにする必要があった。逆に、系統電圧が下がった場合は、発電機電圧運転範囲である−５％より低くなり、力率を改善できなく場合あって、同様に運転員のタップ切換え操作による電圧調整が必要であった。
【０００８】
また、発電機力率一定制御中（仮に０．８５ｐｆ遅れに設定）に、系統電圧が上昇した場合、系統電圧の上昇に伴い、発電機無効電力が減少してしまい、発電機力率は一旦、進み方向に進んでしまう。発電機力率一定制御手段は、その進んだ力率を設定された０．８５ｐｆ遅れに戻すため、発電機電圧を上昇させる。その際、系統電圧の上昇具合によっては、発電機電圧運転範囲である＋５％を超えてしまい、発電機力率を０．８５ｐｆへ戻すことができなくなる。このため、発電機力率一定制御がロックされ、発電所の運転員が主変圧器のタップ切換手段を操作し、発電機力率一定手段が設定された力率０．８５ｐｆ遅れに制御できる発電機電圧運転範囲内（発電機側電圧を下げる方向）に納まるようにする必要があった。逆に、系統電圧が下がった場合は、発電機電圧運転範囲である−５％より低くなり、力率を改善できなく場合あり、同様に運転員のタップ切換え操作による電圧調整が必要となっている。
【０００９】
この発明は前記のような課題を解決するためになされたものであり、発電機無効電力制御と、系統電圧変動による発電機無効電力の変動を発電機電圧変動範囲で制御できるように主変圧器のタップ切換えを自動的に変化させる発電所の電圧制御装置を得ることを目的とするものである。
【課題を解決するための手段】
【００１０】
この発明による発電所の電圧制御装置は、自動電圧調整装置により発電機電圧が調整される発電機を、タップ切換手段を有する主変圧器を介して送電系統に連携し、前記発電機電圧の制御と、前記タップ切換手段のタップ切換制御の相互協調制御を行う発電所の電圧制御装置であって、前記発電機電圧を変圧器により変圧して入力する電圧変換手段と、前記発電機電圧を変圧器により変圧して入力すると共に、発電機電流を変流器により変流して入力し、前記入力した発電機電圧と発電機電流により発電機無効電力を出力する電力変換手段と、前記電力変換手段の出力する無効電力と前記電圧変換手段の出力する発電機電圧とを入力する制御装置と、を有し、前記制御装置は、前記電力変換手段の出力する発電機無効電力と、予め設定された発電機無効電力目標値を比較し、比較結果に差異が発生している場合に前記自動電圧調整装置へ電圧増減信号を出力する無効電力比較部と、前記電圧変換手段の検出する発電機電圧が、前記発電機の運転範囲内にあるか否かを確認し、運転範囲外にある場合は、前記タップ切換手段のタップ増減信号を前記主変圧器へ出力する電圧比較部と、を備えたものである。
【発明の効果】
【００１１】
この発明によれば、発電機無効電力制御と、系統電圧変動による発電機無効電力の変動を発電機電圧変動範囲で制御できるように主変圧器のタップ切換えを自動的に変化させる発電所の電圧制御装置を得ることができる。
【図面の簡単な説明】
【００１２】
【図１】この発明の実施の形態１による発電所の電圧制御装置での発電機無効電力一定制御を説明する構成図である。
【図２】この発明の実施の形態１による発電所の電圧制御装置での発電機無効電力一定制御と主変圧器のタップ協調制御の動作フローチャートである。
【図３】この発明の実施の形態２による発電所の電圧制御装置での発電機力率一定制御を説明する構成図である。
【図４】この発明の実施の形態２による発電所の電圧制御装置での発電機力率一定制御と主変圧器のタップ協調制御の動作フローチャートである。
【図５】この発明の実施の形態３による発電所の電圧制御装置での送電端無効電力一定制御の構成図である。
【図６】この発明の実施の形態３による発電所の電圧制御装置での送電端無効電力一定制御と主変圧器のタップ協調制御の動作フローチャートである。
【図７】この発明の実施の形態４による発電所の電圧制御装置での送電端力率一定制御の構成図である。
【図８】この発明の実施の形態４による発電所の電圧制御装置での送電端力率一定制御と主変圧器のタップ協調制御の動作フローチャートである。
【発明を実施するための形態】
【００１３】
以下、添付の図面を参照して、この発明による発電所の電圧制御装置について好適な実施の形態を説明する。なお、この実施の形態によりこの発明が限定されるものではなく、諸種の設計的変更をも包摂するものである。
【００１４】
実施の形態１．
図１は、この発明の実施の形態１による発電所の電圧制御装置での発電機無効電力一定制御と主変圧器のタップ協調制御を説明する構成図である。
図１は、制御対象となる発電機１が、電力系統の系統電圧へ昇圧するタップ切換手段２を有する主変圧器３を介して電力系統へ連携する主回路構成において、予め発電機無効電力の目標値を設定し、発電機無効電力を設定された目標値に一定制御する運転形態を説明するものである。
【００１５】
発電機の発生する発電機電圧は、発電機電圧を低圧レベルに変圧する変圧器（以下、ＶＴ）４で検出され、この検出された発電機電圧が電圧変換手段である電圧変換器５を介して制御装置（以下、シーケンサ）６に入力される。また、発電機電流は、発電機電流を５Ａレベルに変流する変流器（以下、ＣＴ）７で検出される。ＶＴ４で検出された発電機電圧とＣＴ７検出された発電機電流は、電力変換手段である無効電力変換器８に入力されて発電機無効電力が検出される。そして、無効電力変換器８で検出された発電機無効電力は、シーケンサ６にシーケンサ入力信号レベルに変換されて入力される。
【００１６】
シーケンサ６は、無効電力変換器８が出力する発電機無効電力を読込むＭＷ／ＶＡＲ読込部６ａと、ＭＷ／ＶＡＲ読込部６ａが読込んだ発電機無効電力と無効電力目標値のとの差異を比較する無効電力比較部（以下、ＶＡＲ制御部）６ｂ、及び電圧変換器５から入力された発電機電圧が発電機の運転範囲内（定格電圧の±５％）にあるか否かを確認する機能を有する電圧比較部６ｃを備えている。
【００１７】
また、シーケンサ６のＶＡＲ制御部６ｂの出力は、制御回路９を介して電圧増減信号として自動電圧調整装置１０に入力され、シーケンサ６の電圧比較部６ｃから出力される発電機電圧が発電機運転範囲内にあるか否かの確認信号は、主変圧器タップ増減信号出力回路１１により、主変圧器３のタップ切換手段２に入力される。
【００１８】
実施の形態１による発電所の電圧制御装置は前記のように構成されており、次にその動作について説明する。
図２は、発電機無効電力一定制御と主変圧器３のタップ協調制御の動作フローチャートである。図２において、先ず、シーケンサ６のＶＡＲ制御部６ｂに発電機無効電力目標値Ｇｓｖを設定する(ステップＳ１０)。発電機無効電力目標値Ｇｓｗを変更する場合は、目標値を変更して設定する（ステップＳ１１）。
【００１９】
次に、シーケンサ６のＭＷ／ＶＡＲ読込部６ａにおいて、無効電力変換器８がＶＴ４からの発電機電圧とＣＴ７からの発電機電流により検出する発電機無効電力Ｇｍｗ、及びＶＴ４からの発電機電圧Ｖｇを読込む（ステップＳ１２）。
【００２０】
次に、シーケンサ６のＶＡＲ制御部６ｂにおいて、ＭＷ／ＶＡＲ読込部６ａの読込んだ発電機無効電力Ｇｍｗと発電機無効電力目標値Ｇｓｗとを比較し（ステップＳ１３）、発電機無効電力Ｇｍｗが発電機無効電力目標値Ｇｓｗより大きい場合は、発電機無効電力Ｇｍｗを下げる必要があるため、自動電圧調整装置１０に対し、発電機電圧下げ指令を出力する（ステップＳ１４）。
【００２１】
また、発電機無効電力Ｇｍｗが発電機無効電力目標値Ｇｓｗより小さい場合（ステップＳ１５）は、発電機無効電力Ｇｍｗを上げる必要があるため、自動電圧調整装置１０に対し、発電機電圧上げ指令を出力する（ステップＳ１６）。
【００２２】
そして、発電機無効電力Ｇｍｗが発電機無効電力目標値Ｇｓｗと等しくなるまで前記ステップＳ１３〜ステップＳ１６の制御を続ける（ステップＳ１７）。
【００２３】
無効電力制御は、発電機電圧制御であって、発電機電圧運転範囲内で実行する必要がある。従って発電機電圧が運転範囲外となれば、自動電圧調整装置１０の制御範囲外となって無効電力一定制御が継続できない。このため、前記無効電力制御と平行して、系統電圧の変動による無効電力一定制御に制限がかかるのを防止するために、発電機電圧が発電機運転範囲内となるように主変圧器３のタップ切換えを平行制御する。
【００２４】
次に、このタップ切換え制御について説明する。前記ステップＳ１２において、シーケンサ６のＭＷ／ＶＡＲ読込部６ａで発電機無効電力Ｇｍｗと発電機電圧Ｖｇを読込んだ後、発電機電圧Ｖｇと発電機電圧上限値（定格電圧Ｖｇｒ＋５％）を比較し（ステップＳ１８）、発電機電圧Ｖｇが発電機電圧上限値より高い場合は、発電機電圧Ｖｇを下げる必要があるため、主変圧器３のタップ切換手段２に対してタップ電圧上げ指令を出力する（ステップＳ１９）。
【００２５】
また、発電機電圧Ｖｇが発電機電圧下限値（定格電圧Ｖｇｒ−５％）より低い場合（ステップＳ２０）は、発電機電圧Ｖｇを上げる必要があるため、主変圧器３のタップ切換手段２に対してタップ電圧下げ指令を出力する（ステップＳ２１）。
【００２６】
そして、発電機電圧Ｖｇが発電機定格電圧Ｖｇｒの±５％の範囲内となるまで前記ステップＳ１８〜ステップＳ２１のタップ電圧制御を続ける（ステップＳ２２）。
【００２７】
以上により、実施の形態１による発電所の電圧制御装置は、発電機無効電力と主変圧器３のタップ電圧を同時制御するため、系統電圧変動に対する無効電力一定制御の制限が解除でき、要求された発電機無効電力出力と適正な主変圧器３のタップ選択を自動で実施することが可能となる。従って、運転員が対応していた煩雑な運転操作の簡略化が図られ、発電所の精度の高い運転が得られる。
【００２８】
実施の形態２．
次に、実施の形態２による発電所の電圧制御装置について説明する。実施の形態１では、発電機無効電力一定制御と主変圧器のタップ協調制御を実施する場合について説明したが、実施の形態２は、発電機力率一定制御と主変圧器のタップ協調制御を実施するものである。
【００２９】
図３は、この発明の実施の形態２による発電所の電圧制御装置での発電機力率一定制御と主変圧器のタップ協調制御を説明する構成図である。実施の形態２は、図３に示すように、ＣＴ７で検出された発電機電流から発電機有効電力を得る第２の電力変換手段である電力変換器３０が第１の電力変換手段である無効電力変換器８と共に設けられ、シーケンサ６のＭＷ／ＶＡＲ読込部６ａが、無効電力変換器８から出力される発電機無効電力を読
込むと共に、電力変換器３０から出力される発電機有効電力を読込む構成となっている。
【００３０】
また、シーケンサ６には、ＭＷ／ＶＡＲ読込部６ａが読込んだ発電機無効電力と発電機有効電力により、発電機力率を検出する力率制御部６ｄが実施の形態１のＶＡＲ制御部６ｂに代わって設けられている。なお、その他の構成については、実施の形態１と同一もしくは相当しており、同一符号を付すことにより説明を省略する。
【００３１】
実施の形態２による発電所の電圧制御装置は前記のように構成されており、次に、その動作について説明する。
図４は、発電機力率一定制御と主変圧器３のタップ協調制御の動作フローチャートである。図４において、先ず、シーケンサ６の力率制御部６ｄに発電機力率目標値Ｇｓｆを設定する(ステップＳ３０)。発電機力率目標値Ｇｓｆを変更する場合は、目標値を変更して設定する（ステップＳ３１）。
【００３２】
次に、力率制御部６ｄは、ＭＷ／ＶＡＲ読込部６ａが読込んだ発電機有効電力Ｇｗ、発電機無効電力Ｇｍｗ、及び発電機電圧Ｖｇを得て（ステップＳ３２）、発電機運転力率Ｇｐｆを算出する（ステップＳ３３）。
【００３３】
次に、ステップＳ３３で算出した発電機運転力率Ｇｐｆと発電機力率目標値Ｇｓｆを比較し（ステップＳ３４）、発電機運転力率Ｇｐｆが発電機力率目標値Ｇｓｆより大きい場合は、発電機電圧Ｖｇを下げる必要があるため、自動電圧調整装置１０に対し、発電機電圧下げ指令を出力する（ステップＳ３５）。
【００３４】
また、発電機運転力率Ｇｐｆが発電機力率目標値Ｇｓｆより小さい場合（ステップＳ３６）は、発電機電圧Ｖｇを上げる必要があるため、自動電圧調整装置１０に対し、発電機電圧上げ指令を出力する（ステップＳ３７）。
【００３５】
そして、発電機運転力率Ｇｐｆが発電機力率目標値Ｇｓｆと等しくなるまで前記ステップＳ３４〜ステップＳ３７の制御を続ける（ステップＳ３８）。
【００３６】
なお、発電機電圧Ｖｇが発電機運転範囲内となるように主変圧器３のタップ切換えを平行制御するステップについては、実施の形態１で説明したのと同様であり、同一ステップ番号を付すことにより、説明を省略する。
【００３７】
以上により、実施の形態２による発電所の電圧制御装置は、シーケンサ６のＭＷ／ＶＡＲ読込部６ａに、電力変換器３０から出力される発電機有効電力Ｇｗの読込み機能を併せ持たせると共に、力率制御部６ｄで運転力率演算を行うことにより、発電機力率一定制御と主変タップ制御を同時制御するため、要求された発電機力率一定運転と適正な主変圧器３のタップ選択を自動で実施することが可能となる。従って、運転員が対応していた煩雑な運転操作の簡略化が図られ、発電所の精度の高い運転が得られる。
【００３８】
実施の形態３．
次に、実施の形態３による発電所の電圧制御装置について説明する。実施の形態１では、発電機無効電力一定制御と主変圧器のタップ協調制御を実施する場合について説明したが、実施の形態３は、主変圧器の高圧側送電端で発電機無効電力を計測できるように計測点を変更したものである。
【００３９】
図５は、実施の形態３による発電所の電圧制御装置での送電端無効電力一定制御と主変圧器のタップ協調制御を説明する構成図である。実施の形態３は、図５に示すように、主変圧器３の高圧側送電端に発電機電流を５Ａレベルに変流するＣＴ７が設けられると共に
、発電機電圧を低圧レベルに変圧する第２のＶＴ５０が設けられている。第２のＶＴ５０で検出された発電機電圧とＣＴ７検出された発電機電流は、無効電力変換器８に入力されて発電機無効電力が検出される。そして、無効電力変換器８で検出された発電機無効電力は、シーケンサ６にシーケンサ入力信号レベルに変換されて入力される。即ち、主変圧器３の高圧側送電端で発電機無効電力を計測できるように構成されている。なお、その他の構成については、実施の形態１と同一もしくは相当しており、同一符号を付すことにより説明を省略する。
【００４０】
実施の形態３による発電所の電圧制御装置は前記のように構成されており、送電端無効電力一定制御と主変圧器のタップ協調制御は、発電機無効電力を主変圧器３の高圧側送電端で計測する点が実施の形態１と異なるのみであり、図６の動作フローチャートに示すように、実施の形態１と同様に制御される。なお、図６のフローチャートでは、送電端の発電機無効電力目標値をＧＴｓｗ、送電端の発電機無効電力をＧＴｍｗと表示している。
【００４１】
以上により、実施の形態３による発電所の電圧制御装置は、系統電圧変動に対する、要求された送電端無効電力一定制御と適正な主変圧器３のタップ選択を自動で実施することが可能となる。従って、運転員が対応していた煩雑な運転操作の簡略化が図られ、発電所の精度の高い運転が得られる。
【００４２】
実施の形態４．
次に、実施の形態４による発電所の電圧制御装置について説明する。実施の形態２では、発電機力率一定制御と主変圧器のタップ協調制御を実施する場合について説明したが、実施の形態４は、主変圧器の高圧側送電端の力率を計測するもので、送電端の電力及び無効電力を計測できるように計測点を変更したものである。
【００４３】
図７は、実施の形態４による発電所の電圧制御装置での送電端力率一定制御と主変圧器のタップ協調制御を説明する構成図である。実施の形態４は、図７に示すように、主変圧器３の高圧側送電端に発電機電流を５Ａレベルに変流するＣＴ７が設けられると共に、発電機電圧を低圧レベルに変圧する第２のＶＴ５０が設けられている。また、第２のＶＴ５０で検出された発電機電圧とＣＴ７検出された発電機電流から発電機有効電力を得る電力変換器３０が発電機無効電力を得る無効電力変換器８と共に設けられている。そして、シーケンサ６のＭＷ／ＶＡＲ読込部６ａが、無効電力変換器８から出力される発電機無効電力を読込むと共に、電力変換器３０から出力される発電機有効電力を読込む構成となっている。即ち、主変圧器３の高圧側送電端で発電機有効電力及び無効電力を計測できるように構成されている。なお、その他の構成については、実施の形態２と同一もしくは相当しており、同一符号を付すことにより説明を省略する。
【００４４】
実施の形態４による発電所の電圧制御装置は前記のように構成されており、送電端力率一定制御は、発電機有効電力と発電機無効電力を、主変圧器３の高圧側送電端で計測する点が実施の形態２と異なるのみであり、図８の動作フローチャートに示すように、実施の形態２と同様に制御される。なお、図８のフローチャートでは、送電端の発電機無効電力目標値をＧＴｓｗ、送電端の発電機無効電力をＧＴｍｗ、送電端の発電機有効電力をＧＴｗと表すと共に、発電機力率目標値をＧＴｓｆ、発電機運転力率をＧＴｐｆと表示している。
【００４５】
以上により、実施の形態４による発電所の電圧制御装置は、系統電圧変動に対する、要求された発電送電端力率一定運転と適正な主変圧器３のタップ選択を自動で実施することが可能となる。従って、運転員が対応していた煩雑な運転操作の簡略化が図られ、発電所の精度の高い運転が得られる。
【００４６】
なお、前記各実施の形態においては、説明の都合上、シーケンサ６内にＶＡＲ制御部６ｂと、力率制御部６ｄをそれぞれ別に設けた例について図示説明したが、実施にあたっては、ＶＡＲ制御部６ｂと力率制御部６ｄの両者をシーケンサ６内に設けることになる。
【符号の説明】
【００４７】
１  発電機
２  タップ切換手段
３  主変圧器
４  変圧器（ＶＴ）
５  電圧変換器
６  シーケンサ
６ａ  ＭＷ／ＶＡＲ読込部
６ｂ  ＶＡＲ制御部
６ｃ  電圧比較部
６ｄ  力率制御部
７  変流器（ＣＴ）
８  無効電力変換器
９  制御回路
１０  自動電圧調整装置
１１  主変圧器タップ増減信号出力回路
３０  電力変換器
５０  第２の変圧器（ＶＴ）
【図１】
2011125189.tif 000003
【図２】
2011125189.tif 000004
【図３】
2011125189.tif 000005
【図４】
2011125189.tif 000006
【図５】
2011125189.tif 000007
【図６】
2011125189.tif 000008
【図７】
2011125189.tif 000009
【図８】
2011125189.tif 000010